(57)【要約】【課題】外部インターフェイス１４を利用して外部機器と接続されている状態において、一定条件下に機能を抑制し、無駄な消費電力を生じさせないように制御する電子機器、制御方法及びプログラムを提供すること。【解決手段】所定の規格に準拠した信号伝送用規格を採用し、外部機器に接続される外部インターフェイス１４と、報知部２１と、外部インターフェイス１４が外部機器に接続されている状態において、着信があった場合に、報知部２１による報知を抑制し、着信があった旨の信号を外部インターフェイス１４を介して外部機器に送信し、着信に応じた報知を外部機器で行うように制御する制御部２３とを備える。【選択図】図３
2014078809.tif 000002
【特許請求の範囲】
【請求項１】
所定の信号伝送用規格に準拠しており、外部機器に接続される接続部と、
報知部と、
前記接続部が前記外部機器に接続されている状態において、着信があった場合に、前記報知部による報知を抑制し、着信があった旨の信号を前記接続部を介して前記外部機器に送信し、着信に応じた報知を前記外部機器で行うように制御する制御部とを備える電子機器。
【請求項２】
加速度センサ部を備え、
前記制御部は、前記接続部が前記外部機器に接続されている状態において、着信があった場合に、前記加速度センサ部から所定の値以上の検出値が出力されなかった場合には、前記報知部による報知を抑制する請求項１記載の電子機器。
【請求項３】
前記報知部は、振動により報知を行うバイブレータであって、
前記制御部は、前記接続部が前記外部機器に接続されている状態において、着信があった場合に、前記加速度センサ部から所定の値以上の検出値が出力されなかった場合には、前記バイブレータの振動を抑制する請求項２記載の電子機器。
【請求項４】
複数のアプリケーションが格納されている記憶部を備え、
前記制御部は、前記接続部が前記外部機器に接続されている状態において、着信があった場合に、所定のアプリケーションが起動中の場合には、前記報知部による報知を抑制しない請求項１記載の電子機器。
【請求項５】
前記制御部は、前記接続部が前記外部機器に接続されている状態において、着信があった場合に、前記外部機器の電源がＯＦＦになっている場合には、前記報知部による報知を抑制しない請求項１記載の電子機器。
【請求項６】
所定の信号伝送用規格に準拠している接続部が、当該所定の信号伝送用規格に準拠している外部機器に接続されている状態において、着信があった場合に、報知部による報知を抑制する抑制工程と、
着信があった旨の信号を前記接続部を介して前記外部機器に送信し、着信に応じた報知を前記外部機器で行うように制御する制御工程とを備える制御方法。
【請求項７】
所定の信号伝送用規格に準拠している接続部が、当該所定の信号伝送用規格に準拠している外部機器に接続されている状態において、着信があった場合に、報知部による報知を抑制する抑制工程と、
着信があった旨の信号を前記接続部を介して前記外部機器に送信し、着信に応じた報知を前記外部機器で行うように制御する制御工程とをコンピュータに実行させるためのプログラム。
【発明の詳細な説明】
【技術分野】
【０００１】
本発明は、外部機器に接続される接続部を有する電子機器と、当該電子機器を制御する制御方法及びプログラムに関する。
【背景技術】
【０００２】
携帯端末等とテレビとを接続するためのインターフェイスとして、ＨＤＭＩ（登録商標）規格が存在する。
携帯端末等とテレビとが、ＨＤＭＩ規格を採用したインターフェイスで接続されている場合には、例えば、携帯端末等に保存されているコンテンツをテレビへ送信し、当該コンテンツをテレビで表示させることができる（例えば、特許文献１を参照）。
【０００３】
また、近年、ＨＤＭＩ規格をベースとしたＭＨＬ（登録商標）規格も存在している。
ＭＨＬとは、携帯端末向けの高速映像伝送用のインターフェイス規格である。ＭＨＬは、非圧縮なまま水平解像度が１０８０ｐで、３０ｆｐｓの動画データを３端子でテレビに伝送することができる。なお、実際には、ＭＨＬは、５端子を持つＵＳＢコネクタを流用している。
【０００４】
このようにして、ＭＨＬを採用した場合、汎用コネクタであるＵＳＢコネクタを使用してテレビと接続することができるメリットがある。
【先行技術文献】
【特許文献】
【０００５】
【特許文献１】特開２０１１−０９１６９９号公報
【発明の概要】
【発明が解決しようとする課題】
【０００６】
ところで、携帯端末とテレビとをＭＨＬ規格等に準拠したインターフェイスによって接続している状態において、例えば、携帯端末が電話等の着信時に、テレビ側で着信したことを報知した方が、ユーザに認識させやすい場合がある。
【０００７】
本発明は、外部インターフェイスを利用して外部機器と接続されている状態において、一定条件下に機能を抑制し、無駄な消費電力を生じさせないように制御する電子機器、制御方法及びプログラムを提供することを目的とする。
【課題を解決するための手段】
【０００８】
本発明に係る電子機器は、所定の信号伝送用規格に準拠しており、外部機器に接続される接続部と、報知部と、前記接続部が前記外部機器に接続されている状態において、着信があった場合に、前記報知部による報知を抑制し、着信があった旨の信号を前記接続部を介して前記外部機器に送信し、着信に応じた報知を前記外部機器で行うように制御する制御部とを備える構成である。
【０００９】
電子機器では、加速度センサ部を備え、前記制御部は、前記接続部が前記外部機器に接続されている状態において、着信があった場合に、前記加速度センサ部から所定の値以上の検出値が出力されなかった場合には、前記報知部による報知を抑制する構成でもよい。
【００１０】
電子機器では、前記報知部は、振動により報知を行うバイブレータであって、前記制御部は、前記接続部が前記外部機器に接続されている状態において、着信があった場合に、前記加速度センサ部から所定の値以上の検出値が出力されなかった場合には、前記バイブレータの振動を抑制する構成でもよい。
【００１１】
電子機器では、複数のアプリケーションが格納されている記憶部を備え、前記制御部は、前記接続部が前記外部機器に接続されている状態において、着信があった場合に、所定のアプリケーションが起動中の場合には、前記報知部による報知を抑制しない構成でもよい。
【００１２】
電子機器では、前記制御部は、前記接続部が前記外部機器に接続されている状態において、着信があった場合に、前記外部機器の電源がＯＦＦになっている場合には、前記報知部による報知を抑制しない構成でもよい。
【００１３】
本発明に係る制御方法は、所定の信号伝送用規格に準拠している接続部が、当該所定の信号伝送用規格に準拠している外部機器に接続されている状態において、着信があった場合に、報知部による報知を抑制する抑制工程と、着信があった旨の信号を前記接続部を介して前記外部機器に送信し、着信に応じた報知を前記外部機器で行うように制御する制御工程とを備える構成である。
【００１４】
本発明に係るプログラムは、所定の信号伝送用規格に準拠している接続部が、当該所定の信号伝送用規格に準拠している外部機器に接続されている状態において、着信があった場合に、報知部による報知を抑制する抑制工程と、着信があった旨の信号を前記接続部を介して前記外部機器に送信し、着信に応じた報知を前記外部機器で行うように制御する制御工程とをコンピュータに実行させるためのものである。
【発明の効果】
【００１５】
本発明によれば、外部インターフェイスを利用して外部機器と接続されている状態において、一定条件下に機能を抑制し、無駄な消費電力を生じさせないように制御することができる。
【図面の簡単な説明】
【００１６】
【図１】実施形態に係るスマートフォンの外観を示す斜視図である。
【図２】実施形態に係るスマートフォンの外観を示す背面図である。
【図３】スマートフォンの構成を示すブロック図である。
【図４】外部機器とスマートフォンがケーブルで接続されている様子を示す図である。
【図５】ケーブルの構成を示す図である。
【図６】外部機器のディスプレイ上に着信の情報が表示される様子を模式的に示す図である。
【図７】スマートフォンの動作についての説明に供するフローチャートである。
【発明を実施するための形態】
【００１７】
本発明を実施するための実施形態を、図面を参照しつつ詳細に説明する。以下では、電子機器の一例として、スマートフォンについて説明する。
【００１８】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１９】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２０】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００２１】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２２】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２３】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２４】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２５】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２６】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２７】
照度センサ４は、照度を検出する。例えば、照度とは、光の強さ、明るさ、輝度等である。照度センサ４は、例えば、ディスプレイ２Ａの輝度の調整に用いられる。
【００２８】
近接センサ５は、近隣の物体の存在を非接触で検出する。近接センサ５は、例えば、タッチスクリーンディスプレイ２が顔に近付けられたことを検出する。
【００２９】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３０】
カメラ１２は、フロントフェイス１Ａに面している物体を撮影するインカメラである。カメラ１３は、バックフェイス１Ｂに面している物体を撮影するアウトカメラである。
【００３１】
外部インターフェイス（接続部）１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００３２】
本実施例に係るスマートフォン１は、外部インターフェイス１４を利用して外部機器と接続されている状態において、一定条件下に機能を抑制し、無駄な消費電力を生じさせないように制御する。以下に、具体的な構成について説明する。
【００３３】
スマートフォン１は、図３に示すように、外部インターフェイス１４と、報知部２１と、通信部２２と、制御部２３とを備える。
外部インターフェイス１４は、所定の信号伝送用規格（映像信号及び音声信号の伝送用規格）に準拠しており、外部機器に接続される。所定の信号伝送用規格とは、例えば、ＨＤＭＩ規格又はＭＨＬ規格等である。
【００３４】
本実施例では、図４に示すように、外部機器であるテレビ１０１とスマートフォン１がケーブル１０２で相互に接続されている形態を想定している。また、テレビ１０１のインターフェイスとスマートフォン１の外部インターフェイス１４とは、同一の規格に準拠しているものとして説明するが、これに限られない。
【００３５】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００３６】
通信部２２は、２Ｇ、３Ｇ、４Ｇ等のセルラーフォンの通信規格に対応している。セルラーフォンの通信規格としては、ＬＴＥ（Ｌｏｎｇ  Ｔｅｒｍ  Ｅｖｏｌｕｔｉｏｎ）（登録商標）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）（登録商標）等がある。
【００３７】
制御部２３は、外部インターフェイス１４が外部機器に接続されている状態において、通信部２２により着信を受け付けたとき、報知部２１による報知を抑制し、着信があった旨の信号を外部インターフェイス１４を介して外部機器に送信する。外部機器は、着信に応じた報知を行う。
【００３８】
報知部２１は、着信等のイベントが発生したことを外部に報知する構成要素であって、例えば、着信音を出力するスピーカ、振動を伝えるバイブレータ、発光する発光部等が考えられる。
【００３９】
報知部２１による報知を抑制するとは、報知部２１がスピーカの場合には、音を出力しないようにミュートすること、及び出力する音のボリュームを下げること等を含む概念である。
【００４０】
また、テレビ１０１は、スマートフォン１から着信があった旨の信号を受信した場合には、例えば、図６に示すように、ＯＳＤ（Ｏｎ  Ｓｃｒｅｅｎ  Ｄｉｓｐｌａｙ）の機能を利用して着信の表示（図６中のＡ）を行う。
また、制御部２３は、着信の有無だけでなく、着信に関連する情報を含めてテレビ１０１に送信してもよい。
【００４１】
例えば、制御部２３は、電話による着信があった場合には、発信者名及び発信者の電話番号等をテレビ１０１に送信する。また、制御部２３は、メールによる着信があった場合には、送信者名、件名、添付ファイルの有無、重要メールを示すフラグ情報等をテレビ１０１に送信する。
テレビ１０１は、ＯＳＤの機能を利用してこれらの情報を表示する。
【００４２】
さらに、テレビ１０１は、スマートフォン１から着信があった旨の信号を受信した場合には、スピーカから着信を知らせる音を出力する構成でもよい。
【００４３】
このような構成によれば、スマートフォン１は、外部インターフェイス１４を利用してテレビ１０１と接続されている状態において、着信があった場合、報知部２１の機能を抑制するので、無駄な消費電力を生じさせないように制御することができる。また、スマートフォン１は、テレビ１０１に報知情報を出力するので、テレビ１０１を視聴しているユーザに確実に着信を知らせることができる。
【００４４】
なお、スマートフォン１は、予め、報知対象にする人物を示す情報（電話番号、メールアドレス等）のリストを作成しておいてもよい。例えば、スマートフォン１は、通信部２２により着信を受け付けたとき、当該リストを参照し、一致している人物からの着信のみテレビ１０１に当該着信があった旨の信号を送信する。
【００４５】
また、スマートフォン１は、テレビ１０１で着信を報知し続ける時間を管理してもよい。例えば、スマートフォン１は、通信部２２により着信を受け付けたとき、テレビ１０１に着信があった旨の信号を送信し、所定時間が経過した後（例えば、１０秒後）に、報知表示を終了する旨の信号をテレビ１０１に送信する。このとき、スマートフォン１は、通信部２２により受け付けた着信が電話の場合には、留守電モードに切り替える構成でもよい。
【００４６】
また、スマートフォン１は、通信部２２により着信を受け付けて、報知部２１を抑制し、着信があった旨の信号をテレビ１０１に送信し、テレビ１０１に着信の報知を行ったが、ユーザが対応をしなかった場合において、同一のアドレス又は電話番号からの着信を再度、受け付けた場合には、報知部２１を抑制し、かつ着信があった旨の信号をテレビ１０１に送信しない構成でもよい。このような構成の場合には、スマートフォン１は、着信履歴に着信があった旨を残す。
【００４７】
また、制御部２３は、外部インターフェイス１４が外部機器に接続されている状態において、通信部２２により着信を受け付けたとき、一定条件を満たしている場合に、報知部２１による報知を抑制し、着信があった旨の信号を外部インターフェイス１４を介して外部機器に送信する。外部機器は、着信に応じた報知を行ってもよい。
【００４８】
スマートフォン１は、図３に示すように、加速度センサ部２４を備える構成でもよい。
このような構成の場合、制御部２３は、外部インターフェイス１４が外部機器に接続されている状態において、着信があった場合に、加速度センサ部２４から所定の値以上の検出値が出力されなかった場合（加速度センサ部２４から検出値が出力されなかった場合を含む）には、一定条件を満たしているものとして、報知部２１による報知を抑制する。
【００４９】
ここで、着信があった場合に、加速度センサ部２４から所定の値以上の検出値が出力されなかった場合とは、着信があった場合に、ユーザがスマートフォン１を手に持っていない状況だと推定される。このような状況の場合には、スマートフォン１で着信の報知を行ってもユーザが着信に気が付かないことが予想される。
【００５０】
よって、スマートフォン１は、外部インターフェイス１４を利用してテレビ１０１と接続されている状態において、着信があった場合に、加速度センサ部２４から所定の値以上の検出値が出力されなかった場合、報知部２１の機能を抑制し、無駄な消費電力を生じさせないように制御しつつ、テレビ１０１に報知情報を出力するので、テレビ１０１を視聴しているユーザに確実に着信を知らせることができる。
【００５１】
なお、スマートフォン１は、外部インターフェイス１４を利用してテレビ１０１と接続されている状態において、着信があった場合に、当該着信から所定期間における加速度センサ部２４からの出力される検出値が所定の値以上ではなかった場合、報知部２１の機能を抑制してもよい。この場合、スマートフォン１は、当該着信から所定期間は、報知部２１による報知は行わない。一方、スマートフォン１は、着信があったときに、前記所定期間を経過する前に、テレビ１０１に報知情報を出力してもよい。
【００５２】
報知部２１は、振動により報知を行うバイブレータである。
このような構成の場合には、制御部２３は、外部インターフェイス１４が外部機器に接続されている状態において、着信があった場合に、加速度センサ部２４から所定の値以上の検出値が出力されなかった場合には、一定条件を満たしているものとして、バイブレータの振動を抑制する。
【００５３】
バイブレータの振動を抑制するとは、バイブレータの振動をさせないこと、及び振動を弱くすること等を含む概念である。
【００５４】
ここで、外部機器であるテレビ１０１にスマートフォン１がケーブル１０２で接続されている場合には、ケーブル１０２の長さの関係上、スマートフォン１がテレビ台の上に置かれている状況があり得る。
このような状況において、スマートフォン１が着信を受けて、バイブレータが駆動すると、振動によって、スマートフォン１が台から滑り落ちる可能性がある。
さらに、落下した衝撃で、スマートフォン１とテレビ１０１を結んでいるケーブル１０２が外れてしまう可能性もある。
【００５５】
そこで、制御部２３は、外部インターフェイス１４がテレビ１０１と接続されている場合には、バイブレータの振動を抑制する。
このような構成によれば、スマートフォン１は、落下による故障を回避し、ケーブル１０２が不意に外れてしまうことを回避することができる。
【００５６】
なお、報知部２１が、振動により報知を行うバイブレータである場合、制御部２３は、外部インターフェイス１４が外部機器に接続されている状態において、着信があった場合に、バイブレータの振動を抑制してもよい。
【００５７】
スマートフォン１は、図３に示すように、複数のアプリケーションが格納されている記憶部２５を備える。
このような構成の場合、制御部２３は、外部インターフェイス１４が外部機器に接続されている状態において、着信があった場合に、所定のアプリケーションが起動中の場合には、一定条件を満たさないものとして、報知部２１による報知を抑制しない。
【００５８】
所定のアプリケーションとは、例えば、テレビ１０１に映像が表示され、スマートフォン１のディスプレイ２Ａに操作ＵＩが表示され、操作ＵＩを操作することによって、テレビ１０１に表示されている映像を動かすようなアプリケーションである。
【００５９】
このような場合、ユーザは、スマートフォン１を手に持っている状況だと推定されるので、着信の報知をスマートフォン１で行い、ユーザに着信を気付かせることができると考えられる。
【００６０】
制御部２３は、外部インターフェイス１４が外部機器に接続されている状態において、着信があった場合に、外部機器の電源がＯＦＦになっている場合には、一定条件を満たさないものとして、報知部２１による報知を抑制しない構成でもよい。
【００６１】
具体的には、制御部２３は、外部インターフェイス１４が外部機器であるテレビ１０１に接続されている状態において、テレビ１０１の電源がＯＦＦになると、テレビ１０１側からの信号が来なくなり、テレビ１０１が休止状態であることが分かる。
【００６２】
よって、スマートフォン１は、外部インターフェイス１４を介して、テレビ１０１に接続されていても、テレビ１０１が休止状態の場合には、着信時に、通常通りの報知を行うので、着信を確実に報知することができる。
【００６３】
つぎに、スマートフォン１の動作について、図７に示すフローチャートを参照しながら説明する。以下では、外部機器をテレビ１０１であるとして説明する。
ステップＳＴ１において、制御部２３は、外部インターフェイス１４を介してテレビ１０１が接続されているかどうかを判断する。具体的には、制御部２３は、ＨＤＭＩ規格又はＭＨＬ規格の接続を検出したかどうかによって、外部インターフェイス１４を介してテレビ１０１が接続されているかどうかを判断する。テレビ１０１が接続されていると判断した場合（Ｙｅｓ）には、ステップＳＴ２に進む。テレビ１０１接続されていないと判断した場合（Ｎｏ）には、ステップＳＴ１の工程を繰り返す。
【００６４】
ステップＳＴ２において、制御部２３は、ディスプレイ２Ａに接続完了の通知を表示する。なお、ステップＳＴ２の工程では、制御部２３は、ディスプレイ２Ａに接続完了通知を表示するだけでなく、ＨＤＭＩ規格又はＭＨＬ規格専用のＵＩを表示してもよい。
【００６５】
ステップＳＴ３において、制御部２３は、報知部２１による報知を抑制する。具体的には、制御部２３は、バイブレータの振動をＯＦＦにし、発光部（例えば、ＬＥＤ）の発光をＯＦＦにし、スピーカから出力される着信音をＯＦＦにする。
【００６６】
ステップＳＴ４において、制御部２３は、着信があった旨の信号を外部インターフェイス１４を介してテレビ１０１に送信する。テレビ１０１は、着信に応じた報知を行う。
【００６７】
ステップＳＴ５において、制御部２３は、テレビ１０１との接続状態が解除されたかどうかを判断する。つまり、制御部２３は、ケーブル１０２が外部インターフェイス１４又はテレビ１０１のインターフェイスから外されたかどうかを判断する。接続状態が解除されたと判断した場合（Ｙｅｓ）には、ステップＳＴ６に進み、接続状態が解除されていないと判断した場合（Ｎｏ）には、ステップＳＴ１に戻る。
【００６８】
ステップＳＴ６において、制御部２３は、ディスプレイ２Ａに通常のＵＩが表示されるように制御する。
【００６９】
このようにして、スマートフォン１は、外部インターフェイス１４を利用してテレビ１０１と接続されている状態において、着信があった場合、報知部２１の機能を抑制するので、無駄な消費電力を生じさせないように制御することができる。また、スマートフォン１は、テレビ１０１に報知情報を出力するので、テレビ１０１を視聴しているユーザに確実に着信を知らせることができる。
【００７０】
なお、本実施例では、外部機器をテレビ１０１であるものとして説明したが、着信を報知できる構成であればよく、これに限られない。例えば、外部機器は、ステレオコンポーネント、ＰＣ等が考えられる。
【００７１】
また、本実施例では、主にスマートフォンの構成と動作について説明したが、これに限られず、各構成要素を備え、外部インターフェイス１４を利用して外部機器と接続されている状態において、一定条件下に機能を抑制し、無駄な消費電力を生じさせないように制御する制御方法、及びプログラムとして構成されてもよい。
【００７２】
さらに、スマートフォンの機能を実現するためのプログラムをコンピュータで読み取り可能な記録媒体に記録して、この記録媒体に記録されたプログラムをコンピュータシステムに読み込ませ、実行することによって実現してもよい。
【００７３】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７４】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００７５】
また、本実施例では、外部インターフェイス（接続部）１４は、他の装置が接続される端子であるとして説明したが、本発明はこれに限定されず、外部インターフェイス（接続部）は、ブルートゥース（登録商標）、ＷｉＦｉ（登録商標）等の無線通信規格に準拠する無線インターフェイスであってもよい。したがって、本願発明の電子機器は、外部機器と無線通信規格に準拠する無線通信により通信可能に接続されていてもよい。
【符号の説明】
【００７６】
１  スマートフォン
２Ａ  ディスプレイ
１４  外部インターフェイス
２１  報知部
２２  通信部
２３  制御部
２４  加速度センサ部
２５  記憶部
【図１】
2014078809.tif 000003
【図２】
2014078809.tif 000004
【図３】
2014078809.tif 000005
【図４】
2014078809.tif 000006
【図５】
2014078809.tif 000007
【図６】
2014078809.tif 000008
【図７】
2014078809.tif 000009